【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
セルラ式通信システムであって、
地上付近のセルラ機器と通信するように構成され、第１の面積ゾーンを有する第１の地上付近層と、
前記第１の面積ゾーンと実質的に同様の面積範囲をカバーするよう構成された少なくとも１つの第２の層と、を備え、前記第２の層は高い面積ゾーンを備え、前記第２の層の高い面積ゾーンは前記第１の面積ソーンから分離され、前記第２の層の高い面積ゾーンは実質的に地上よりも高い位置にあり、
前記第２の層は、通信し、前記第２の層内で航空機がセルベースの通信ネットワークを使用した通信を利用し得るように構成され、
前記第１の面積ゾーン内で生じる地上付近通信のために第１の通信プロトコルが実施され、前記第２の層の高い面積ゾーン内で生じる通信のために第２の通信プロトコルが実施される、セルラ式通信システム。
【請求項２】
トランシーバ装置を有するセルラネットワーク基地局と、
無線周波数エネルギを上空に放射するように構成された少なくとも１つのアンテナシステムと、を有し、
前記トランシーバ装置は、前記地上付近層内の通信を実施するように構成されたコンポーネントと、前記第２の面積ゾーン内で通信を実施するように構成されたコンポーネントとを有する、請求項１に記載のシステム。
【請求項３】
セルラネットワーク基地局固定トランシーバアンテナマウント及び、前記地上付近層で通信を実施するための第１のトランシーバ装置と、
前記セルラネットワーク基地局固定トランシーバアンテナマウントに取り付けられたアンテナシステムと、を有し、
前記アンテナシステムは、円錐又は他の形状である傾斜角で無線周波数エネルギを上空に放射するように構成され、
前記アンテナシステムは、空中の機体との通信を実施するために第２のトランシーバ装置セットに接続される、請求項１に記載のシステム。
【請求項４】
セルラネットワーク基地局固定トランシーバアンテナマウントを有し、
前記トランシーバ装置のコンポーネントは、前記地上付近層での通信を実施するための第１のトランシーバ装置と、前記第２の面積ゾーン内で空中の機体との通信を実施するための第２のトランシーバ装置と、を有し、
前記少なくとも１つのアンテナシステムは、前記セルラネットワーク基地局固定トランシーバアンテナマウントに取り付けられた少なくとも１つのアンテナを備え、
前記アンテナシステムは、円錐又は他の形状である傾斜角で無線周波数エネルギを上空に放射するように構成され、
前記アンテナシステムは、前記第２のトランシーバ装置に接続される、請求項２に記載のシステム。
【請求項５】
前記第２のアンテナシステムは１つ又は複数の上空指向性アンテナを備える、請求項４に記載のシステム。
【請求項６】
前記１つ又は複数の上空指向性アンテナは前記第２の面積ゾーン内で信号を伝搬させる、請求項５に記載のシステム。
【請求項７】
セルラ式通信システムであって、
地上付近のセルラ機器と通信するように構成され、第１の面積ゾーンを有する第１の地上付近層と、
前記第１の面積ゾーンと実質的に同様の面積範囲をカバーするよう構成された少なくとも１つの第２の層と、を備え、前記第２の層は高い面積ゾーンを備え、前記第２の層の高い面積ゾーンは前記第１の面積ソーンから分離され、前記第２の層の高い面積ゾーンは実質的に地上よりも高い位置にあり、
前記第２の層は、通信し、前記第２の層内で航空機がセルベースの通信ネットワークを使用した通信を利用し得るように構成されたセルラ式通信システムであり、
前記セルラ式通信システムは、
トランシーバ装置を有するセルラネットワーク基地局と、
無線周波数エネルギを上空に放射するように構成された少なくとも１つのアンテナシステムと、を有し、
前記トランシーバ装置は、前記地上付近層内の通信を実施するように構成されたコンポーネントと、前記第２の面積ゾーン内で通信を実施するように構成されたコンポーネントとを有し、
前記セルラ式通信システムは、
セルラネットワーク基地局固定トランシーバアンテナマウントを有し、
前記トランシーバ装置のコンポーネントは、前記地上付近層での通信を実施するための第１のトランシーバ装置と、前記第２の面積ゾーン内で空中の機体との通信を実施するための第２のトランシーバ装置と、を有し、
前記少なくとも１つのアンテナシステムは、前記セルラネットワーク基地局固定トランシーバアンテナマウントに取り付けられた少なくとも１つのアンテナを備え、
前記アンテナシステムは、円錐又は他の形状である傾斜角で無線周波数エネルギを上空に放射するように構成され、
前記アンテナシステムは、前記第２のトランシーバ装置に接続され、
前記第２のアンテナシステムは１つ又は複数の上空指向性アンテナを備え、
前記１つ又は複数の上空指向性アンテナは前記第２の面積ゾーン内で信号を伝搬させ、
前記１つ又は複数の上空指向性アンテナは上空向き信号を伝搬させ、前記上空向き信号は偏波されている、セルラ式通信システム。
【請求項８】
前記上空向き信号は水平偏波されている、請求項７に記載のシステム。
【請求項９】
前記上空向き信号は円偏波されている、請求項７に記載のシステム。
【請求項１０】
２つのセットの上空向き信号は異なる周波数セットで上空に放射され、前記１つ又は複数の上空指向性アンテナ上空の異なる高さ帯域のための連続通信カバレッジを達成するため、放射パターンにより傾斜角度が異なる、請求項７に記載のシステム。
【請求項１１】
前記１つ又は複数の上空指向性アンテナは異なる周波数セットの前記２つのセットの信号を放射する、請求項１０に記載のシステム。
【請求項１２】
前記１つ又は複数の上空指向性アンテナは、上空放射パターンを有する信号を伝搬させ、前記上空放射パターンは電子的に作り出される、請求項１０に記載のシステム。
【請求項１３】
前記１つ又は複数の上空指向性放射パターンは、特定の無人航空機（ＵＡＶ）又は遠隔操縦機（ＲＰＶ）を追尾するように電子的にステアリングされる、請求項１２に記載のシステム。
【請求項１４】
１つ又は複数の受動リフレクタを有し、前記セルラネットワーク基地局固定トランシーバアンテナマウント及び前記地上付近層内の通信を実施するための第１のトランシーバ装置は地上放射パターンを生成し、前記上空放射パターンは前記１つ又は複数の受動リフレクタによって前記地上放射パターンから更に離隔される、請求項１２に記載のシステム。
【請求項１５】
前記上空放射パターン用に前記アンテナシステムから放射される前記無線周波数エネルギは、航空機連続通信層の帯域間の分離を提供することを支援することに制限される、請求項１２に記載のシステム。
【請求項１６】
前記第１の面積ゾーン内で生じる前記地上付近通信のために第１の通信プロトコルが実施され、前記第２の層の高い面積ゾーン内で生じる通信のために第２の通信プロトコルが実施される、請求項７に記載のシステム。
【請求項１７】
前記第２の通信プロトコルは、ＵＡＶとＲＰＶのトランシーバ間の通信に一意的に関連するプロトコルを有する、請求項１６に記載のシステム。
【請求項１８】
前記第１の通信プロトコルは地上沿いの通信プロトコルを有し、前記第２の通信プロトコルは上空通信プロトコルを有し、前記上空通信プロトコルは、ＵＡＶ及びＲＰＶトランシーバを地上沿いの携帯電話機やスマートフォンなどから一意的に識別するために前記地上沿いの通信プロトコルから区別される、請求項１６に記載のシステム。
【請求項１９】
前記ＵＡＶ又及びＲＰＶトランシーバは、ＲＰＶ及びＵＡＶ通信と地上沿いの通信間のセルラ通信ネットワークによる迅速な区別を可能にする一意的又は区別されたＩＭＥＩの識別番号又は分類を有する、請求項１７に記載のシステム。
【請求項２０】
前記セルラ通信ネットワークは、通信がＵＡＶ又はＲＰＶから送信されたか、又は通信か地上沿い型トランシーバから送信されたかに関連して通信を取り扱うためのソフトウェア命令及び処理コンポーネントを有して構成される、請求項１９に記載のシステム。
【請求項２１】
前記セルラ通信ネットワークは、データグラム又は音声トラヒックを指定の方法でルーティングするように構成される、請求項２０に記載のシステム。
【請求項２２】
第１の上空向き信号のセットは第１の偏波パターンで偏波され、第２の上空向き信号のセットは第２の偏波パターンで偏波されている、請求項１０に記載のシステム。
【請求項２３】
前記偏波パターンは円偏波である、請求項２２に記載のシステム。
【請求項２４】
前記第１の上空向き信号のセットは右旋円偏波パターンと左旋円偏波パターンの一方で偏波され、前記第２の上空向き信号のセットは前記右旋偏波パターンと左旋円偏波パターンの他方で偏波される、請求項２３に記載のシステム。
【請求項２５】
前記第１の上空向き信号のセットは第１の上空向き形状を形作り、前記第２の上空向き信号のセットは第２の上空向き形状を形作り、前記第１の上空向き形状と前記第２の上空向き形状の少なくとも一方は右旋円偏波パターンで偏波され、前記第１の上空向き形状と前記第２の上空向き形状の他方は左旋円偏波パターンで偏波される、請求項２３に記載のシステム。
【請求項２６】
前記第１の上空向き信号のセットは第１の上空向き円錐を形成し、前記第２の上空向き信号のセットは第２の上空向き円錐を形成し、前記第１の上空向き円錐と前記第２の上空向き円錐の少なくとも一方は右旋円偏波パターンで偏波され、前記第１の上空向き円錐と前記第２の上空向き円錐の他方は左旋円偏波パターンで偏波される、請求項２３に記載のシステム。
【請求項２７】
前記１つ又は複数の上空指向性アンテナは、異なる周波数セットの前記２つの信号のセットを放射する、請求項２４に記載のシステム。
【請求項２８】
前記上空放射パターンは、電子的に作り出される請求項２４に記載のシステム。
【請求項２９】
前記上空指向性放射パターンは、特定の無人航空機（ＵＡＶ）又は遠隔操縦機（ＲＰＶ）を追尾するように電子的にステアリングされる、請求項２８に記載のシステム。
【請求項３０】
前記システムは、１つ又は複数のＵＡＶ及びＲＰＶと通信するように構成され、前記第１の上空向き円錐は上層であり、前記第２の上空向き円錐は下層であり、前記第１の上空向き円錐は前記放射の左旋円偏波パターンを有し、前記第２の上空向き円錐は前記放射の右旋円偏波パターンを有し、前記ＲＰＶ通信は前記第１の上空向き円錐内で行われ、前記ＵＡＶ通信は戦記第２の上空向き円錐内で行われる、請求項２６に記載のシステム。
【請求項３１】
ＵＡＶを有し、前記ＵＡＶは送信及び受信用に構成されたトランシーバを有し、前記ＵＡＶのトランシーバは、右旋円偏波パターンで信号を送受信するように構成される、請求項３０に記載のシステム。
【請求項３２】
ＲＰＶを有し、前記ＲＰＶは送信及び受信用に構成されたトランシーバを有し、前記ＲＰＶのトランシーバは、左旋円偏波パターンで信号を送受信するように構成される、請求項３０に記載のシステム。
【請求項３３】
ＲＰＶを有し、前記ＲＰＶは送信及び受信用に構成されたトランシーバを有し、前記ＲＰＶトランシーバは、左旋円偏波パターンで信号を送受信するように構成される、請求項３１に記載のシステム。
【請求項３４】
前記セルラネットワーク基地局のトランシーバは、右旋円偏波パターンと左旋円偏波パターンの１つ又は複数で信号を送受信するように構成される、請求項３３に記載のシステム。
【請求項３５】
前記基地局トランシーバは、前記ＵＡＶと通信する場合は右旋円偏波パターンで信号を送受信するように構成され、前記基地局トランシーバは、前記ＲＰＶと通信する場合は左旋円偏波パターンで信号を送受信するように構成される、請求項３４に記載のシステム。
【請求項３６】
トランシーバ装置を有する複数の基地局を有し、セルラネットワーク基地局固定トランシーバアンテナマウントを有し、
複数の前記基地局固定トランシーバアンテナマウントに取り付けられたアンテナシステムを備え、
前記アンテナシステムは、円錐又は他の形状である傾斜角で無線周波数エネルギを上空に放射して前記第１の面積ゾーンと実質的に同様の面積範囲をカバーするよう構成された少なくとも１つの第２の層を形成するように構成され、
前記アンテナシステムは、地上沿いではなく第２の層の高い面積ゾーンに位置する空中の機体との通信を実施するように、前記基地局の前記トランシーバ装置と類似又は同一の第２のトランシーバ装置のセットに接続される、請求項１に記載のシステム。
【請求項３７】
前記上空向き信号は水平偏波されている、請求項１に記載のシステム。
【請求項３８】
前記上空向き信号は円偏波されている、請求項１に記載のシステム。
【請求項３９】
２つのセットの上空向き信号は異なる周波数セットで上空に放射され、前記１つ又は複数の上空指向性アンテナ上空の異なる高さ帯域のための連続通信カバレッジを達成するため、放射パターンにより傾斜角度が異なる、請求項１に記載のシステム。
【請求項４０】
前記１つ又は複数の上空指向性アンテナは異なる周波数セットの前記２つのセットの信号を放射する、請求項３９に記載のシステム。
【請求項４１】
前記１つ又は複数の上空指向性アンテナは、上空放射パターンを有する信号を伝搬させ、前記上空放射パターンは電子的に作り出される、請求項３９に記載のシステム。
【請求項４２】
前記１つ又は複数の上空指向性放射パターンは、特定の無人航空機（ＵＡＶ）又は遠隔操縦機（ＲＰＶ）を追尾するように電子的にステアリングされる、請求項４１に記載のシステム。
【請求項４３】
１つ又は複数の受動リフレクタを有し、前記セルラネットワーク基地局固定トランシーバアンテナマウント及び前記地上付近層内の通信を実施するための第１のトランシーバ装置は地上放射パターンを生成し、前記上空放射パターンは前記１つ又は複数の受動リフレクタによって前記地上放射パターンから更に離隔される、請求項４１に記載のシステム。
【請求項４４】
前記上空放射パターン用に前記アンテナシステムから放射される前記無線周波数エネルギは、航空機連続通信層の帯域間の分離を提供することを支援することに制限される、請求項４１に記載のシステム。
【手続補正２】
【補正対象書類名】明細書
【補正対象項目名】００３３
【補正方法】変更
【補正の内容】
【００３３】
これらの、及び他の利点は本発明によって実現され得る。本発明は特定の実施形態を参照して記載されたが、記載は例示的なものであり、本発明の範囲を限定するものと解釈されるべきではない。例えば、図１０はネットワークタワー１００１、１００２を図示しているが、本明細書に図示され、記載されたシステム、方法、及びコンポーネントに関連して複数のネットワークタワーが利用され得る。例えば、空中指向性アンテナは既存のネットワーク装置に接続され得る。この代替実施形態では、ネットワーク装置は、空中指向性アンテナ（１つ又は複数）を追加のセルゾーンとして扱うように構成される。いくつかの実施形態に従う放射形状又はパターンはコーン条として記述したが、他の形状を有するようにも構成できる。幾つかの好ましい実施形態によれば、上空アンテナは追加の装置又はそのコンポーネントのセットで動作するように構成され得る。本明細書に記載され、添付の特許請求の範囲により定義された本発明の趣旨及び範囲から逸脱することなく、当業者には様々な修正及び変更が想到され得る。
下記は、本願の出願当初に記載の発明である。
＜請求項１＞
セルラ式通信システムであって、
地上付近のセルラ機器と通信するように構成され、第１の面積ゾーンを有する第１の地上付近領域と、
前記第１の面積ゾーンと実質的に同様の面積範囲をカバーするよう構成された少なくとも１つの第２の層と、を備え、前記第２の層は高い面積ゾーンを備え、前記第２の層の高い面積ゾーンは前記第１の面積ソーンから分離され、前記第２の層の高い面積ゾーンは実質的に地上よりも高い位置にあり、
前記第２の層は、通信し、前記第２の層内で航空機がセルベースの通信ネットワークを使用した通信を利用するように構成された、セルラ式通信システム。
＜請求項２＞
トランシーバ装置を有するセルラネットワーク基地局と、
無線周波数エネルギを上空に放射するように構成された少なくとも１つのアンテナシステムと、を有し、
前記トランシーバ装置は、前記地上付近領域内の通信を実施するように構成されたコンポーネントと、前記第２の面積ゾーン内で通信を実施するように構成されたコンポーネントとを有する、請求項１に記載のシステム。
＜請求項３＞
セルラネットワーク基地局固定トランシーバアンテナマウント及び、前記地上付近領域で通信を実施するための第１のトランシーバと、
前記セルラネットワーク基地局固定トランシーバアンテナマウントに取り付けられたアンテナシステムと、を有し、
前記アンテナシステムは、円錐又は他の形状である傾斜角で無線周波数エネルギを上空に放射するように構成され、
前記アンテナシステムは、空中の機体との通信を実施するために第２のトランシーバ装置セットに接続される、請求項１に記載のシステム。
＜請求項４＞
セルラネットワーク基地局固定トランシーバアンテナマウントを有し、
前記トランシーバ装置のコンポーネントは、前記地上付近領域での通信を実施するための第１のトランシーバ装置と、前記第２の面積ゾーン内で空中の機体との通信を実施するための第２のトランシーバ装置と、を有し、
前記少なくとも１つのアンテナシステムは、前記セルラネットワーク基地局固定トランシーバアンテナマウントに取り付けられた少なくとも１つのアンテナを備え、
前記アンテナシステムは、円錐又は他の形状である傾斜角で無線周波数エネルギを上空に放射するように構成され、
前記アンテナシステムは、前記第２のトランシーバ装置に接続される、請求項２に記載のシステム。
＜請求項５＞
前記第２のアンテナシステムは１つ又は複数の上空指向性アンテナを備える、請求項４に記載のシステム。
＜請求項６＞
前記１つ又は複数の上空指向性アンテナは前記第２の面積ゾーン内で信号を伝搬させる、請求項５に記載のシステム。
＜請求項７＞
前記１つ又は複数の上空指向性アンテナは上空向き信号を伝搬させ、前記上空向き信号は偏波されている、請求項６に記載のシステム。
＜請求項８＞
前記上空信号は水平偏波されている、請求項７に記載のシステム。
＜請求項９＞
前記上空信号は円偏波されている、請求項７に記載のシステム。
＜請求項１０＞
２つのセットの上空向き信号は異なる周波数セットで上空に放射され、前記１つ又は複数の上空指向性アンテナ上空の異なる高さ帯域のための連続通信カバレッジを達成するため、放射パターンによる傾斜角度が異なる、請求項７に記載のシステム。
＜請求項１１＞
前記１つ又は複数の上空指向性アンテナは異なる周波数セットの前記２つのセットの信号を放射する、請求項１０に記載のシステム。
＜請求項１２＞
前記１つ又は複数の上空指向性アンテナは、上空放射パターンを有する信号を伝搬させ、前記上空放射パターンは電子的に作り出される、請求項１０に記載のシステム。
＜請求項１３＞
前記１つ又は複数の上空指向性放射パターンは、特定の無人航空機（ＵＡＶ）又は遠隔操縦機（ＲＰＶ）を追尾するように電子的にステアリングされる、請求項１２に記載のシステム。
＜請求項１４＞
１つ又は複数の受動リフレクタを有し、前記セルラネットワーク基地局固定トランシーバアンテナマウント及び前記地上付近領域内の通信を実施するための第１のトランシーバ装置は地上放射パターンを生成し、前記上空放射パターンは前記１つ又は複数の受動リフレクタによって前記地上放射パターンから更に離隔される、請求項１２に記載のシステム。
＜請求項１５＞
前記上空放射パターン用に前記アンテナシステムから放射される前記無線周波数エネルギは、無人航空機連続通信領領域の帯域間の分離を提供することを支援することに制限される、請求項１２に記載のシステム。
＜請求項１６＞
前記第１の面積ゾーン内で前記地上付近通信が行われるように第１の通信プロトコルが実施され、前記第２の層の高い面積ゾーン内で通信が行われるように第２の通信プロトコルが実施される、請求項１に記載のシステム。
＜請求項１７＞
前記第２の通信プロトコルは、ＵＡＶとＲＰＶのトランシーバ間の通信に一意的に関連するプロトコルを有する、請求項１６に記載のシステム。
＜請求項１８＞
前記第１の通信プロトコルは地上沿いの通信プロトコルを有し、前記第２の通信プロトコルは上空通信プロトコルを有し、前記上空通信プロトコルは、ＵＡＶ及びＲＰＶトランシーバを地上沿いの携帯電話機やスマートフォンなどから一意的に識別するために前記地上沿いの通信プロトコルから区別される、請求項１６に記載のシステム。
＜請求項１９＞
前記ＵＡＶ又及びＲＰＶトランシーバは、ＲＰＶ及びＵＡＶ通信と地上沿いの通信間のセルラ通信ネットワークによる迅速な区別を可能にする一意的又は区別されたＩＭＥＩの識別番号又は分類を有する、請求項１７に記載のシステム。
＜請求項２０＞
前記セルラ通信ネットワークは、通信がＵＡＶ又はＲＰＶから送信されたか、又は通信か地上沿い型トランシーバから送信されたかに関連して通信を取り扱うためのソフトウェア命令及び処理コンポーネントを有して構成される、請求項１９に記載のシステム。
＜請求項２１＞
前記セルラ通信ネットワークは、データグラム又は音声トラヒックを指定の方法でルーティングするように構成される、請求項２０に記載のシステム。
＜請求項２２＞
前記第１の上空信号のセットは第１の偏波パターンで偏波され、第２の上空信号セットは第２の偏波パターンで偏波されている、請求項１０に記載のシステム。
＜請求項２３＞
前記偏波パターンは円偏波である、請求項２２に記載のシステム。
＜請求項２４＞
前記第１の上空信号セットは右旋円偏波パターンと左旋円偏波パターンの一方で偏波され、前記第２の上空信号セットは前記右旋偏波パターンと左旋円偏波パターンの他方で偏波される、請求項２３に記載のシステム。
＜請求項２５＞
前記上空信号の第１のセットは第１の上空形状を形作り、前記上空信号の第２のセットは第２の上空形状を形作り、前記第１の上空形状と前記第２の上空形状の少なくとも一方は右旋円偏波パターンで偏波され、前記第１の上空形状と前記第２の上空形状の他方は左旋円偏波パターンで偏波される、請求項２３に記載のシステム。
＜請求項２６＞
前記上空信号の第１のセットは第１の上空円錐を形成し、前記上空信号の第２のセットは第２の上空円錐を形成し、前記第１の上空円錐と前記第２の上空円錐の少なくとも一方は右旋円偏波パターンで偏波され、前記第１の上空円錐と前記第２の上空円錐の他方は左旋円偏波パターンで偏波される、請求項２３に記載のシステム。
＜請求項２７＞
前記１つ又は複数の上空指向性アンテナは、異なる周波数セットの前記２つの信号のセットを放射する、請求項２４に記載のシステム。
＜請求項２８＞
前記上空放射パターンは、電子的に作り出される請求項２４に記載のシステム。
＜請求項２９＞
前記上空指向性放射パターンは、特定の無人航空機（ＵＡＶ）又は遠隔操縦機（ＲＰＶ）を追尾するように電子的にステアリングされる、請求項２８に記載のシステム。
＜請求項３０＞
前記システムは、１つ又は複数のＵＡＶ及びＲＰＶと通信するように構成され、前記第１の上空円錐は上層であり、前記第２の上空円錐は下層であり、前記第１の上空円錐は前記放射の左旋円偏波パターンを有し、前記第２の上空円錐は前記放射の右旋円偏波パターンを有し、前記ＲＰＶ通信は前記第１の上空円錐内で行われ、前記ＵＡＶ通信は戦記第２の上空円錐内で行われる、請求項２６に記載のシステム。
＜請求項３１＞
ＵＡＶを有し、前記ＵＡＶは送信及び受信用に構成されたトランシーバを有し、前記ＵＡＶのトランシーバは、右旋円偏波パターンで信号を送受信するように構成される、請求項３０に記載のシステム。
＜請求項３２＞
ＲＰＶを有し、前記ＲＰＶは送信及び受信用に構成されたトランシーバを有し、前記ＲＰＶのトランシーバは、左旋円偏波パターンで信号を送受信するように構成される、請求項３０に記載のシステム。
＜請求項３３＞
ＲＰＶを有し、前記ＲＰＶは送信及び受信用に構成されたトランシーバを有し、前記ＲＰＶトランシーバは、左旋円偏波パターンで信号を送受信するように構成される、請求項３１に記載のシステム。
＜請求項３４＞
前記セルラネットワーク基地局のトランシーバは、右旋円偏波パターンと左旋円偏波パターンの１つ又は複数で信号を送受信するように構成される、請求項３３に記載のシステム。
＜請求項３５＞
前記基地局トランシーバは、前記ＵＡＶと通信する場合は右旋円偏波パターンで信号を送受信するように構成され、前記基地局トランシーバは、前記ＲＰＶと通信する場合は左旋円偏波パターンで信号を送受信するように構成される、請求項３４に記載のシステム。
＜請求項３６＞
トランシーバ装置を有する複数の基地局を有し、セルラネットワーク基地局固定トランシーバアンテナマウントを有するセルラ式通信システムにおいて、
複数の前記基地局固定トランシーバアンテナマウントに取り付けられたアンテナシステムを備え、
前記アンテナシステムは、円錐又は他の形状である傾斜角で無線周波数エネルギを上空に放射するように構成され、
前記アンテナシステムは、地上沿いではなく空中の機体との通信を実施するように、前記基地局の前記トランシーバ装置と類似し、又は同一の第２のトランシーバ装置のセットに接続されることを特徴とする、セルラ式通信システム。